【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
結像光学系により結像された被写体像を光電変換して画像信号を出力する撮像手段と、
前記撮像手段から出力された画像信号をデジタル化して画像データを出力するＡ／Ｄ変換手段と、
前記Ａ／Ｄ変換手段から出力された画像データを基に第１の画像データを生成する第１の画像データ生成手段と、
前記画像データを基に前記第１の画像データとは異なる第２の画像データを生成する第２の画像データ生成手段と、
前記第２の画像データから顔領域を検出する顔領域検出手段と、
前記Ａ／Ｄ変換手段より出力された画像データに基づいて画像を逐次表示する表示手段と、
前記顔検出手段が前記第２の画像データから顔領域の検出を完了すると、前記第１の画像データにおける、前記顔領域検出手段により検出された顔領域に対応する部分のデータを用いて、少なくともオートフォーカス制御、自動露出制御、及び、ホワイトバランス制御の為の撮影情報のうちのいずれかを抽出する抽出手段と、
前記抽出手段によって抽出された前記撮影情報に基づき、前記顔領域の検出が完了した時点で前記表示手段に表示されている画像とは異なる前記第２の画像データに対して、少なくともオートフォーカス制御、自動露出制御、及び、ホワイトバランス制御のうちのいずれかを行う制御手段と、
を具備することを特徴とする撮像装置。
【請求項２】
前記抽出手段は前記第１の画像データから、少なくともオートフォーカス制御、自動露出制御、及び、ホワイトバランス制御の為の前記撮影情報のうちのいずれかを検出して記憶し、記憶した撮影情報の中から前記顔検出手段が前記第２の画像データから検出した前記顔領域の位置に対応した撮影情報を読み出すことを特徴とする請求項１に記載の撮像装置。
【請求項３】
結像光学系により結像された被写体像を光電変換して画像信号を出力する撮像手段と、
前記撮像手段から出力された画像信号をデジタル化して画像データを出力するＡ／Ｄ変換手段と、
前記Ａ／Ｄ変換手段から出力された画像データを用いて、少なくともオートフォーカス制御、自動露出制御、及び、ホワイトバランス制御のための撮影情報のうちのいずれかを抽出する抽出手段と、
前記画像データを基に生成した画像データから顔領域を検出する顔領域検出手段と、
前記Ａ／Ｄ変換手段より出力された画像データに基づいて画像を逐次表示する表示手段と、
前記顔領域検出手段により検出された前記顔領域に対応する部分の前記撮影情報に基づき、顔領域の検出が完了した時点で前記表示手段に表示されている画像とは異なる、顔領域の検出の対象となった画像データに対して、少なくともオートフォーカス制御、自動露出制御、及び、ホワイトバランス制御のうちのいずれかを行う制御手段と、
を具備することを特徴とする撮像装置。
【請求項４】
結像光学系により結像された被写体像を光電変換して画像信号を出力する撮像手段と、
前記撮像手段から出力された画像信号をデジタル化して画像データを出力するＡ／Ｄ変換手段と、
前記Ａ／Ｄ変換手段から出力された画像データを基に複数の第１の画像データを生成する第１の画像データ生成手段と、
前記画像データを基に第１の画像データとは異なる複数の第２の画像データを生成する第２の画像データ生成手段と、
前記第２の画像データから顔領域を検出する顔領域検出手段と、
前記Ａ／Ｄ変換手段より出力された画像データに基づいて画像を逐次表示する表示手段と、
前記顔検出手段が前記顔領域の検出を完了するまでに生成される、前記複数の第２の画像データのうちで、顔領域の検出の対象となった第２の画像データと比較してその変化量が所定量以内である第２の画像データと同一の画像データから生成された前記第１の画像データを用いて、少なくともオートフォーカス制御、自動露出制御、及び、ホワイトバランス制御のための撮影情報のうちのいずれかを抽出する抽出手段と、
前記抽出手段によって抽出された前記撮影情報に基づき、前記顔領域の検出が完了した時点で前記表示手段に表示されている画像とは異なる、顔領域の検出の対象となった第２の画像データ対して、少なくともオートフォーカス制御、自動露出制御、及び、ホワイトバランス制御のうちのいずれかを行う制御手段と、
を具備することを特徴とする撮像装置。
【請求項５】
前記抽出手段は、前記顔検出手段が前記顔領域の検出を完了するまでに生成される、前記複数の第２の画像データのうちで、顔領域の検出の対象となった第２の画像データと比較してその変化量が所定量以内である第２の画像データのうち最新の第２の画像データを選択し、選択された第２の画像データと同一の画像データから生成された第１の画像データを用いて、少なくともオートフォーカス制御、自動露出制御、及び、ホワイトバランス制御のための前記撮影情報のうちのいずれかを抽出することを特徴とする請求項４に記載の撮像装置。
【請求項６】
前記抽出手段は、前記顔検出手段が前記顔領域の検出を完了するまでに生成される、前記複数の第２の画像データのうちで、顔領域の検出の対象となった第２の画像データと比較して最も変化量が少ない第２の画像データを選択し、選択された第２の画像データと同一の画像データから生成された第１の画像データを用いて、少なくともオートフォーカス制御、自動露出制御、及び、ホワイトバランス制御のための前記撮影情報のうちのいずれかを抽出することを特徴とする請求項４に記載の撮像装置。
【請求項７】
前記制御手段は、前記顔検出手段が前記顔領域の検出を完了するまでに生成される、前記複数の第２の画像データのうちで、顔領域を検出した第２の画像データと比較してその変化量が所定量以内である第２の画像データがない場合は、前記顔領域検出手段の検出結果を用いずに、少なくともオートフォーカス制御、自動露出制御、及び、ホワイトバランス制御のうちのいずれかを行うことを特徴とする請求項４に記載の撮像装置。
【請求項８】
結像光学系により結像された被写体像を光電変換して画像信号を出力する撮像手段と、
前記撮像手段から出力された画像信号をデジタル化して画像データを出力するＡ／Ｄ変換手段と、
前記Ａ／Ｄ変換手段から出力された画像データを用いて、少なくともオートフォーカス制御、自動露出制御、及び、ホワイトバランス制御のための撮影情報のうちのいずれかを抽出する抽出手段と、
前記画像データを基に生成した画像データから顔領域を検出する顔領域検出手段と、
前記Ａ／Ｄ変換手段より出力された画像データに基づいて画像を逐次表示する表示手段と、
前記顔検出手段が前記画像データから顔領域の検出を完了した時点で前記表示手段に表示されている画像とは異なる画像データのうち、顔領域の検出の対象となった画像データと比較してその変化量が所定量以内である画像データのうちの、前記顔領域検出手段により検出された顔領域に対応する部分の前記撮影情報に基づいて、少なくともオートフォーカス制御、自動露出制御、及び、ホワイトバランス制御のうちのいずれかを行う制御手段と、
を具備することを特徴とする撮像装置。
【請求項９】
前記制御手段は、前記顔検出手段が前記画像データから顔領域の検出を完了した時点で前記表示手段に表示されている画像とは異なる画像データのうち、顔領域の検出の対象となった画像データと比較してその変化量が所定量以内である画像データのうちの最新の画像データを選択し、選択した画像データのうちの、前記顔領域検出手段により検出された顔領域に対応する部分の前記撮影情報に基づいて、少なくともオートフォーカス制御、自動露出制御、及び、ホワイトバランス制御のうちのいずれかを行うことを特徴とする請求項８に記載の撮像装置。
【請求項１０】
前記顔検出手段が前記画像データから顔領域の検出を完了すると、該顔検出手段が顔領域の検出を完了した時点で前記表示手段に表示されている画像とは異なる画像データのうち、顔領域の検出の対象となった画像データと比較してその変化量が最も少ない画像データを選択し、選択した画像データのうちの、前記顔領域検出手段により検出された顔領域に対応する部分の前記撮影情報に基づいて、少なくともオートフォーカス制御、自動露出制御、及び、ホワイトバランス制御のうちのいずれかを行うことを特徴とする請求項８に記載の撮像装置。
【請求項１１】
前記制御手段は、前記顔検出手段が前記画像データから顔領域の検出を完了した時点で前記表示手段に表示されている画像とは異なる画像データのうち、顔領域の検出の対象となった画像データと比較してその変化量が所定量以内である画像データがない場合は、前記顔領域検出手段の検出結果を用いずに、少なくともオートフォーカス制御、自動露出制御、及び、ホワイトバランス制御のうちのいずれかを行うことを特徴とする請求項８に記載の撮像装置。
【請求項１２】
前記第２の画像データは前記第１の画像データよりもデータ容量が小さいことを特徴とする請求項１、２、４、５、６、７のいずれか１項に記載の撮像装置。
【請求項１３】
結像光学系により結像された被写体像を光電変換して画像信号を出力する撮像工程と、
前記撮像工程から出力された画像信号をデジタル化して画像データを出力するＡ／Ｄ変換工程と、
前記Ａ／Ｄ変換工程から出力された画像データを基に第１の画像データを生成する第１の画像データ生成工程と、
前記画像データを基に前記第１の画像データとは異なる第２の画像データを生成する第２の画像データ生成工程と、
前記第２の画像データから顔領域を検出する顔領域検出工程と、
前記Ａ／Ｄ変換工程より出力された画像データに基づいて画像を逐次表示する表示工程と、
前記顔検出工程が前記第２の画像データから顔領域の検出を完了すると、前記第１の画像データにおける、前記顔領域検出工程により検出された顔領域に対応する部分のデータを用いて、少なくともオートフォーカス制御、自動露出制御、及び、ホワイトバランス制御の為の撮影情報のうちのいずれかを抽出する抽出工程と、
前記抽出工程によって抽出された前記撮影情報に基づき、前記顔領域の検出が完了した時点で前記表示工程で表示されている画像とは異なる前記第２の画像データに対して、少なくともオートフォーカス制御、自動露出制御、及び、ホワイトバランス制御のうちのいずれかを行う制御工程と、
を具備することを特徴とする撮像装置の制御方法。
【請求項１４】
結像光学系により結像された被写体像を光電変換して画像信号を出力する撮像工程と、
前記撮像工程から出力された画像信号をデジタル化して画像データを出力するＡ／Ｄ変換工程と、
前記Ａ／Ｄ変換工程から出力された画像データを用いて、少なくともオートフォーカス制御、自動露出制御、及び、ホワイトバランス制御のための撮影情報のうちのいずれかを抽出する抽出工程と、
前記画像データを基に生成した画像データから顔領域を検出する顔領域検出工程と、
前記Ａ／Ｄ変換工程より出力された画像データに基づいて画像を逐次表示する表示工程と、
前記顔領域検出工程により検出された前記顔領域に対応する部分の前記撮影情報に基づき、顔領域の検出が完了した時点で前記表示工程で表示されている画像とは異なる、顔領域の検出の対象となった画像データに対して、少なくともオートフォーカス制御、自動露出制御、及び、ホワイトバランス制御のうちのいずれかを行う制御工程と、
を具備することを特徴とする撮像装置の制御方法。
【請求項１５】
結像光学系により結像された被写体像を光電変換して画像信号を出力する撮像工程と、
前記撮像工程から出力された画像信号をデジタル化して画像データを出力するＡ／Ｄ変換工程と、
前記Ａ／Ｄ変換工程から出力された画像データを基に複数の第１の画像データを生成する第１の画像データ生成工程と、
前記画像データを基に第１の画像データとは異なる複数の第２の画像データを生成する第２の画像データ生成工程と、
前記第２の画像データから顔領域を検出する顔領域検出工程と、
前記Ａ／Ｄ変換工程より出力された画像データに基づいて画像を逐次表示する表示工程と、
前記顔検出工程が前記顔領域の検出を完了するまでに生成される、前記複数の第２の画像データのうちで、顔領域の検出の対象となった第２の画像データと比較してその変化量が所定量以内である第２の画像データと同一の画像データから生成された前記第１の画像データを用いて、少なくともオートフォーカス制御、自動露出制御、及び、ホワイトバランス制御のための撮影情報のうちのいずれかを抽出する抽出工程と、
前記抽出工程によって抽出された前記撮影情報に基づき、前記顔領域の検出が完了した時点で前記表示工程に表示されている画像とは異なる、顔領域の検出の対象となった第２の画像データに対して、少なくともオートフォーカス制御、自動露出制御、及び、ホワイトバランス制御のうちのいずれかを行う制御工程と、
を具備することを特徴とする撮像装置の制御方法。
【請求項１６】
結像光学系により結像された被写体像を光電変換して画像信号を出力する撮像工程と、
前記撮像工程から出力された画像信号をデジタル化して画像データを出力するＡ／Ｄ変換工程と、
前記Ａ／Ｄ変換工程から出力された画像データを用いて、少なくともオートフォーカス制御、自動露出制御、及び、ホワイトバランス制御のための撮影情報のうちのいずれかを抽出する抽出工程と、
前記画像データを基に生成した画像データから顔領域を検出する顔領域検出工程と、
前記Ａ／Ｄ変換工程より出力された画像データに基づいて画像を逐次表示する表示工程と、
前記顔検出工程が前記画像データから顔領域の検出を完了した時点で前記表示工程に表示されている画像とは異なる画像データのうち、顔領域の検出の対象となった画像データと比較してその変化量が所定量以内である画像データのうちの、前記顔領域検出工程により検出された顔領域に対応する部分の前記撮影情報に基づいて、少なくともオートフォーカス制御、自動露出制御、及び、ホワイトバランス制御のうちのいずれかを行う制御工程と、
を具備することを特徴とする撮像装置の制御方法。
【請求項１７】
請求項１３に記載の制御方法をコンピュータに実行させるためのプログラム。
【請求項１８】
請求項１５に記載の制御方法をコンピュータに実行させるためのプログラム。
【請求項１９】
請求項１７に記載のプログラムを記憶したコンピュータ読み取り可能な記憶媒体。
【請求項２０】
請求項１８に記載のプログラムを記憶したコンピュータ読み取り可能な記憶媒体。
【手続補正２】
【補正対象書類名】明細書
【補正対象項目名】発明の名称
【補正方法】変更
【補正の内容】
【発明の名称】撮像装置及びその制御方法及びプログラム及び記憶媒体
【手続補正３】
【補正対象書類名】明細書
【補正対象項目名】００１０
【補正方法】変更
【補正の内容】
【００１０】
上述した課題を解決し、目的を達成するために、本発明に係わる撮像装置は、結像光学系により結像された被写体像を光電変換して画像信号を出力する撮像手段と、前記撮像手段から出力された画像信号をデジタル化して画像データを出力するＡ／Ｄ変換手段と、前記Ａ／Ｄ変換手段から出力された画像データを基に第１の画像データを生成する第１の画像データ生成手段と、前記画像データを基に前記第１の画像データとは異なる第２の画像データを生成する第２の画像データ生成手段と、前記第２の画像データから顔領域を検出する顔領域検出手段と、前記Ａ／Ｄ変換手段より出力された画像データに基づいて画像を逐次表示する表示手段と、前記顔検出手段が前記第２の画像データから顔領域の検出を完了すると、前記第１の画像データにおける、前記顔領域検出手段により検出された顔領域に対応する部分のデータを用いて、少なくともオートフォーカス制御、自動露出制御、及び、ホワイトバランス制御の為の撮影情報のうちのいずれかを抽出する抽出手段と、前記抽出手段によって抽出された前記撮影情報に基づき、前記顔領域の検出が完了した時点で前記表示手段に表示されている画像とは異なる前記第２の画像データに対して、少なくともオートフォーカス制御、自動露出制御、及び、ホワイトバランス制御のうちのいずれかを行う制御手段と、を具備することを特徴とする。
【手続補正４】
【補正対象書類名】明細書
【補正対象項目名】００１１
【補正方法】変更
【補正の内容】
【００１１】
また、本発明に係わる撮像装置は、結像光学系により結像された被写体像を光電変換して画像信号を出力する撮像手段と、前記撮像手段から出力された画像信号をデジタル化して画像データを出力するＡ／Ｄ変換手段と、前記Ａ／Ｄ変換手段から出力された画像データを用いて、少なくともオートフォーカス制御、自動露出制御、及び、ホワイトバランス制御のための撮影情報のうちのいずれかを抽出する抽出手段と、前記画像データを基に生成した画像データから顔領域を検出する顔領域検出手段と、前記Ａ／Ｄ変換手段より出力された画像データに基づいて画像を逐次表示する表示手段と、前記顔領域検出手段により検出された前記顔領域に対応する部分の前記撮影情報に基づき、顔領域の検出が完了した時点で前記表示手段に表示されている画像とは異なる、顔領域の検出の対象となった画像データに対して、少なくともオートフォーカス制御、自動露出制御、及び、ホワイトバランス制御のうちのいずれかを行う制御手段と、を具備することを特徴とする。
【手続補正５】
【補正対象書類名】明細書
【補正対象項目名】００１２
【補正方法】変更
【補正の内容】
【００１２】
また、本発明に係わる撮像装置は、結像光学系により結像された被写体像を光電変換して画像信号を出力する撮像手段と、前記撮像手段から出力された画像信号をデジタル化して画像データを出力するＡ／Ｄ変換手段と、前記Ａ／Ｄ変換手段から出力された画像データを基に複数の第１の画像データを生成する第１の画像データ生成手段と、前記画像データを基に第１の画像データとは異なる複数の第２の画像データを生成する第２の画像データ生成手段と、前記第２の画像データから顔領域を検出する顔領域検出手段と、前記Ａ／Ｄ変換手段より出力された画像データに基づいて画像を逐次表示する表示手段と、前記顔検出手段が前記顔領域の検出を完了するまでに生成される、前記複数の第２の画像データのうちで、顔領域の検出の対象となった第２の画像データと比較してその変化量が所定量以内である第２の画像データと同一の画像データから生成された前記第１の画像データを用いて、少なくともオートフォーカス制御、自動露出制御、及び、ホワイトバランス制御のための撮影情報のうちのいずれかを抽出する抽出手段と、前記抽出手段によって抽出された前記撮影情報に基づき、前記顔領域の検出が完了した時点で前記表示手段に表示されている画像とは異なる、顔領域の検出の対象となった第２の画像データ対して、少なくともオートフォーカス制御、自動露出制御、及び、ホワイトバランス制御のうちのいずれかを行う制御手段と、を具備することを特徴とする。
【手続補正６】
【補正対象書類名】明細書
【補正対象項目名】００１３
【補正方法】変更
【補正の内容】
【００１３】
また、本発明に係わる撮像装置は、結像光学系により結像された被写体像を光電変換して画像信号を出力する撮像手段と、前記撮像手段から出力された画像信号をデジタル化して画像データを出力するＡ／Ｄ変換手段と、前記Ａ／Ｄ変換手段から出力された画像データを用いて、少なくともオートフォーカス制御、自動露出制御、及び、ホワイトバランス制御のための撮影情報のうちのいずれかを抽出する抽出手段と、前記画像データを基に生成した画像データから顔領域を検出する顔領域検出手段と、前記Ａ／Ｄ変換手段より出力された画像データに基づいて画像を逐次表示する表示手段と、前記顔検出手段が前記画像データから顔領域の検出を完了した時点で前記表示手段に表示されている画像とは異なる画像データのうち、顔領域の検出の対象となった画像データと比較してその変化量が所定量以内である画像データのうちの、前記顔領域検出手段により検出された顔領域に対応する部分の前記撮影情報に基づいて、少なくともオートフォーカス制御、自動露出制御、及び、ホワイトバランス制御のうちのいずれかを行う制御手段と、を具備することを特徴とする。
【手続補正７】
【補正対象書類名】明細書
【補正対象項目名】００１４
【補正方法】変更
【補正の内容】
【００１４】
また、本発明に係わる撮像装置の制御方法は、結像光学系により結像された被写体像を光電変換して画像信号を出力する撮像工程と、前記撮像工程から出力された画像信号をデジタル化して画像データを出力するＡ／Ｄ変換工程と、前記Ａ／Ｄ変換工程から出力された画像データを基に第１の画像データを生成する第１の画像データ生成工程と、前記画像データを基に前記第１の画像データとは異なる第２の画像データを生成する第２の画像データ生成工程と、前記第２の画像データから顔領域を検出する顔領域検出工程と、前記Ａ／Ｄ変換工程より出力された画像データに基づいて画像を逐次表示する表示工程と、前記顔検出工程が前記第２の画像データから顔領域の検出を完了すると、前記第１の画像データにおける、前記顔領域検出工程により検出された顔領域に対応する部分のデータを用いて、少なくともオートフォーカス制御、自動露出制御、及び、ホワイトバランス制御の為の撮影情報のうちのいずれかを抽出する抽出工程と、前記抽出工程によって抽出された前記撮影情報に基づき、前記顔領域の検出が完了した時点で前記表示工程で表示されている画像とは異なる前記第２の画像データに対して、少なくともオートフォーカス制御、自動露出制御、及び、ホワイトバランス制御のうちのいずれかを行う制御工程と、を具備することを特徴とする。
【手続補正８】
【補正対象書類名】明細書
【補正対象項目名】００１５
【補正方法】変更
【補正の内容】
【００１５】
また、本発明に係わる撮像装置の制御方法は、結像光学系により結像された被写体像を光電変換して画像信号を出力する撮像工程と、前記撮像工程から出力された画像信号をデジタル化して画像データを出力するＡ／Ｄ変換工程と、前記Ａ／Ｄ変換工程から出力された画像データを用いて、少なくともオートフォーカス制御、自動露出制御、及び、ホワイトバランス制御のための撮影情報のうちのいずれかを抽出する抽出工程と、前記画像データを基に生成した画像データから顔領域を検出する顔領域検出工程と、前記Ａ／Ｄ変換工程より出力された画像データに基づいて画像を逐次表示する表示工程と、前記顔領域検出工程により検出された前記顔領域に対応する部分の前記撮影情報に基づき、顔領域の検出が完了した時点で前記表示工程で表示されている画像とは異なる、顔領域の検出の対象となった画像データに対して、少なくともオートフォーカス制御、自動露出制御、及び、ホワイトバランス制御のうちのいずれかを行う制御工程と、を具備することを特徴とする。
【手続補正９】
【補正対象書類名】明細書
【補正対象項目名】００１６
【補正方法】変更
【補正の内容】
【００１６】
また、本発明に係わる撮像装置の制御方法は、結像光学系により結像された被写体像を光電変換して画像信号を出力する撮像工程と、前記撮像工程から出力された画像信号をデジタル化して画像データを出力するＡ／Ｄ変換工程と、前記Ａ／Ｄ変換工程から出力された画像データを基に複数の第１の画像データを生成する第１の画像データ生成工程と、前記画像データを基に第１の画像データとは異なる複数の第２の画像データを生成する第２の画像データ生成工程と、前記第２の画像データから顔領域を検出する顔領域検出工程と、前記Ａ／Ｄ変換工程より出力された画像データに基づいて画像を逐次表示する表示工程と、前記顔検出工程が前記顔領域の検出を完了するまでに生成される、前記複数の第２の画像データのうちで、顔領域の検出の対象となった第２の画像データと比較してその変化量が所定量以内である第２の画像データと同一の画像データから生成された前記第１の画像データを用いて、少なくともオートフォーカス制御、自動露出制御、及び、ホワイトバランス制御のための撮影情報のうちのいずれかを抽出する抽出工程と、前記抽出工程によって抽出された前記撮影情報に基づき、前記顔領域の検出が完了した時点で前記表示工程に表示されている画像とは異なる、顔領域の検出の対象となった第２の画像データに対して、少なくともオートフォーカス制御、自動露出制御、及び、ホワイトバランス制御のうちのいずれかを行う制御工程と、を具備することを特徴とする。
【手続補正１０】
【補正対象書類名】明細書
【補正対象項目名】００１７
【補正方法】変更
【補正の内容】
【００１７】
また、本発明に係わる撮像装置の制御方法は、結像光学系により結像された被写体像を光電変換して画像信号を出力する撮像工程と、前記撮像工程から出力された画像信号をデジタル化して画像データを出力するＡ／Ｄ変換工程と、前記Ａ／Ｄ変換工程から出力された画像データを用いて、少なくともオートフォーカス制御、自動露出制御、及び、ホワイトバランス制御のための撮影情報のうちのいずれかを抽出する抽出工程と、前記画像データを基に生成した画像データから顔領域を検出する顔領域検出工程と、前記Ａ／Ｄ変換工程より出力された画像データに基づいて画像を逐次表示する表示工程と、前記顔検出工程が前記画像データから顔領域の検出を完了した時点で前記表示工程に表示されている画像とは異なる画像データのうち、顔領域の検出の対象となった画像データと比較してその変化量が所定量以内である画像データのうちの、前記顔領域検出工程により検出された顔領域に対応する部分の前記撮影情報に基づいて、少なくともオートフォーカス制御、自動露出制御、及び、ホワイトバランス制御のうちのいずれかを行う制御工程と、を具備することを特徴とする。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】変更
【補正の内容】
【００２４】
本発明によれば、動きのある被写体に対しても精度の高い顔検出を用いた撮像装置の制御を行うことが可能になる。